(57)【特許請求の範囲】
【請求項１】
便座表面板が、便座自体の形状を保持する樹脂材料からなるバックアップ基材と、
前記バックアップ基材の表面層として積層し一体化して成形された弾性層である軟質材の熱可塑性エラストマー層とを備え、
前記熱可塑性エラストマー層は、塩素元素を含まない化学構造を有し、
表面自由エネルギーが熱可塑性エラストマーより小さい有機珪素化合物と、
芳香剤、害虫忌避剤、消臭剤の少なくとも一種を収納したマイクロカプセルと
を含有する構成とした便座。
【請求項２】
前記バックアップ基材と前記熱可塑性エラストマー層との間に第二の弾性層である発泡層を有する請求項１に記載の便座。
【請求項３】
前記バックアップ基材が熱硬化性樹脂からなる請求項１または２に記載の便座。
【請求項４】
前記熱可塑性エラストマー層は、抗菌剤を含有する請求項１ないし３のいずれか１項に記載の便座。
【請求項５】
抗菌剤として無機系抗菌剤の少なくとも一種、および有機系抗菌剤の少なくとも一種からなる請求項４に記載の便座。
【請求項６】
前記有機珪素化合物としてジメチルポリシロキサンを０．５％、前記芳香剤としてカプリル酸エチルを収納したマイクロカプセルを１％分散させた熱可塑性エラストマーを有する請求項１ないし５のいずれか１項に記載の便座。
【請求項７】
前記有機珪素化合物としてジメチルポリシロキサンを０．５％、前記芳香剤としてペルメトリンを収納したマイクロカプセルを１％分散させた熱可塑性エラストマーを有する請求項１ないし５のいずれか１項に記載の便座。
【請求項８】
前記有機珪素化合物としてジメチルポリシロキサンを０．５％、前記芳香剤としてカプリル酸エチルを収納したマイクロカプセルを１％、前記抗菌剤としてゼオライト銀系抗菌剤を０．５％および有機系抗菌剤であるＴＢＺを０．５％分散させた熱可塑性エラストマーを有する請求項５に記載の便座。
【発明の詳細な説明】
【０００１】
【発明の属する技術分野】
本発明は座りごこちが良く、清潔に使用することができる便座に関するものである。
【０００２】
【従来の技術】
従来、この種の便座としては、例えば、特開平０４−３３８４３０号公報や特開平０５−１７６８５９号公報に記載されているようなものがあった。
【０００３】
また便座部材は皮膚に直接接する部分が多く、その衛生面には配慮が払われている。このため、多くの工夫が実用化されてきた。近年殺菌剤を含浸させた払拭布や、無機系抗菌剤を分散させた便座シートなどが一部使用されている。
【０００４】
【発明が解決しようとする課題】
しかしながら前記従来の便座では、座りごこちは重視されているが、使用条件によって様々な人体からの汚れが付きやすく、日常の手入れを怠ると、細菌やカビが増殖しやすく、また悪臭を発することもある。また誘因物質によるゴキブリをはじめとする不快害虫が浸入したりすると不潔になりやすい。
【０００５】
【課題を解決するための手段】
前記従来の課題を解決するために、本発明の便座は便座表面板が、便座自体の形状を保持する樹脂材料からなるバックアップ基材と、前記バックアップ基材の表面層として積層し一体化して成形された弾性層である軟質材の熱可塑性エラストマー層とを備え、前記熱可塑性エラストマー層は、塩素元素を含まない化学構造を有し、表面自由エネルギーが熱可塑性エラストマーより小さい有機珪素化合物と、芳香剤、害虫忌避剤、消臭剤の少なくとも一種を収納したマイクロカプセルとを含有する構成としたものである。
【０００６】
これによって、樹脂材料からなるバックアップ基材により便座自体の形状が保持され、表面層が熱可塑性エラストマー層の軟質材料により形成されていることにより、着座した際、局部的に力が作用することがない。さらに、表面自由エネルギーが小さい有機珪素化合物を熱可塑性エラストマー層が含んでいるため表面層の撥水性が向上する。そして芳香剤、害虫忌避剤、消臭剤の少なくとも一種がマイクロカプセルに収納されていることにより芳香成分、害虫忌避成分、消臭成分は便座の使用とともに徐々に発散され、その効果が長期に持続される。この場合、表面白由エネルギーが熱可塑性エラストマーより小さい物質を有機珪素化合物とすることにより、熱可塑性エラストマー層の表面は撥水性が大幅に向上し、汚れ成分に対し低活性となるため防汚性が向上する。さらに、熱可塑性エラストマー層を塩素元素を含まない化学構造を有することにより、サーマルリサイクル時に塩化水素ガスやダイオキシンといった人体に悪影響を及ぼす排ガスが生成しない。このため、環境に優しいクリーンな便座が可能となる。
【０００７】
【発明の実施の形態】
請求項１に記載の発明は、便座表面板が、便座自体の形状を保持する樹脂材料からなるバックアップ基材と、バックアップ基材の表面層として積層し一体化して成形された弾性層である軟質材の熱可塑性エラストマー層とを備え、熱可塑性エラストマー層は、塩素元素を含まない化学構造を有し、表面自由エネルギーが熱可塑性エラストマーより小さい有機珪素化合物と、芳香剤、害虫忌避剤、消臭剤の少なくとも一種を収納したマイクロカプセルとを含有する構成とした便座とすることにより、樹脂材料からなるバックアップ基材により便座自体の形状が保持され、表面層が熱可塑性エラストマー層の軟質材料により形成されていることにより、着座した際、局部的に力が作用することがない。さらに、表面自由エネルギーが小さい有機珪素化合物を熱可塑性エラストマー層が含んでいるため表面層の撥水性が向上する。そして芳香剤、害虫忌避剤、消臭剤の少なくとも一種がマイクロカプセルに収納されていることにより芳香成分、害虫忌避成分、消臭成分は便座の使用とともに徐々に発散され、その効果が長期に持続される。この場合、表面白由エネルギーが熱可塑性エラストマーより小さい物質を有機珪素化合物とすることにより、熱可塑性エラストマー層の表面は撥水性が大幅に向上し、汚れ成分に対し低活性となるため防汚性が向上する。さらに、汚れ成分の便座表面への汚れの付着が少なくなるため、それらを餌とする細菌やカビの増殖も抑制される。さらに熱可塑性エラストマー層を塩素元素を含まない化学構造を有することにより、サーマルリサイクル時に塩化水素ガスやダイオキシンといった人体に悪影響を及ぼす排ガスが生成しない。このため、環境に優しいクリーンな便座が可能となる。
【０００８】
請求項２に記載の発明は、特に第１の発明のバックアップ基材と熱可塑性エラストマー層との間に第二の弾性層である発泡層を有する便座にすることにより、便座表面をよりいっそう軟らかくすることができ、安全性や快適性がさらに向上する。
【０００９】
請求項３に記載の発明は、特に第１または第２の発明のバックアップ基材の樹脂材料を熱硬化性樹脂としたものなので、高剛性のため、強度の大きい便座が可能となる。
【００１０】
請求項４に記載の発明は、特に第１ないし第３の発明の熱可塑性エラストマー層は、さらに抗菌剤を含有するので、便座表面での細菌、ぬめり、カビなどの増殖が抑制される。
【００１１】
請求項５に記載の発明は、特に第１の発明の抗菌剤を無機系抗菌剤の少なくとも一種、および有機系抗菌剤の少なくとも一種とすることにより、無機系抗菌剤の作用により主として細菌の増殖を抑制し、さらには細菌の増殖に起因する悪臭の発生、酵母の増殖に起因するぬめりの発生も抑制し、また、有機系抗菌剤の作用により主としてカビの増殖を抑制することができるので、カビ、細菌などの増殖を抑制し、健康的で清潔な便座が可能となる。
【００１２】
請求項６に記載の発明は、特に第１ないし第５の発明の有機珪素化合物としてジメチルポリシロキサンを０．５％、芳香剤としてカプリル酸エチルを収納したマイクロカプセルを１％分散させた熱可塑性エラストマーとすることにより、熱可塑性エラストマー層の表面は撥水性が大幅に向上し、汚れ成分に対し低活性となるため防汚性が向上する。さらに、汚れ成分の便座表面への汚れの付着が少なくなるため、それらを餌とする細菌やカビの増殖も抑制される。
【００１３】
請求項７に記載の発明は、特に第１ないし第５の発明の有機珪素化合物としてジメチルポリシロキサンを０．５％、芳香剤としてペルメトリンを収納したマイクロカプセルを１％分散させた熱可塑性エラストマーとすることにより、熱可塑性エラストマー層の表面は撥水性が大幅に向上し、汚れ成分に対し低活性となるため防汚性が向上する。さらに、汚れ成分の便座表面への汚れの付着が少なくなるため、それらを餌とする細菌やカビの増殖も抑制される。
【００１４】
請求項８に記載の発明は、特に、特に第１ないし第５の発明の有機珪素化合物としてジメチルポリシロキサンを０．５％、芳香剤としてカプリル酸エチルを収納したマイクロカプセルを１％、抗菌剤としてゼオライト銀系抗菌剤を０．５％および有機系抗菌剤であるＴＢＺを０．５％分散させた熱可塑性エラストマーとすることにより、熱可塑性エラストマー層の表面は撥水性が大幅に向上し、汚れ成分に対し低活性となるため防汚性が向上する。さらに、汚れ成分の便座表面への汚れの付着が少なくなるため、それらを餌とする細菌やカビの増殖も抑制される。また、無機系抗菌剤の作用により主として細菌の増殖を抑制し、さらには細菌の増殖に起因する悪臭の発生、酵母の増殖に起因するぬめりの発生も抑制し、また、有機系抗菌剤の作用により主としてカビの増殖を抑制することができるので、カビ、細菌などの増殖を抑制し、健康的で清潔な便座が可能となる。
【００１５】
【実施例】
以下本発明の実施例について図１を参照しながら説明する。
【００１６】
なお、本発明におけるバックアップ基材の樹脂材料としては、熱可塑性樹脂としてポリエチレン、ポリプロピレン、アクリロニトリル・ブタジエン・スチレン共重合物などが挙げられるが、これらに限定するものではない。また、熱硬化性樹脂としてフェノール樹脂、尿素樹脂、メラミン樹脂、ウレタン樹脂、不飽和ポリエステル樹脂、エポキシ樹脂、熱硬化性アクリル樹脂などが挙げられるが、これらに限定するものではない。また、ＦＲＰ用樹脂としては上記熱硬化性樹脂が便用可能であり、成形法としてはハンドレイアップ成形法、ホットプレス成形法、注型法、レジントランスファーモールディング法などを用いることが可能である。
【００１７】
また、可塑性エラストマーとしては、スチレン系、オレフイン系、ウレタン系、エステル系、アミド系、塩化ビニル系などが挙げられるがこれらに限定するものではない。
【００１８】
また、使用者に好ましい香りを発する芳香剤としては６−アセチル−１，１，２，４，７−ヘキサメチルテトラヒドロナフタレン、ウンデカラクトン、カプロン酸エチル、カプリル酸エチル、けい皮アルコール、酢酸ゲラニル、酢酸イソアミルなどが挙げられるが、これらに限定するものではない。
【００１９】
害虫忌避性を有するものとしては天然精油、ピレスロイド系物質などがある。天然精油としては例えば樹木や植物から放出または分泌される芳香物質であるフィトンチッドがあり、α−ピネン、β−ピネン、ミルセン、カンフェン、リモネンなどのテルペン類が挙げられる。ピレスロイド系物質としてはエトフェンブロックス（１−（ｐエトキシフェニル）−２−メチルプロピル−３−フェノキシベンジルエーテル）、サイフェノスリン（（ＲＳ）−アルファーシアノ−３−フェノキシベンジル（１Ｒ）−シス／トランス−クリサンテマート）、ペルメトリン（３−フェノキシベンジル−ｄｉ−シス／トランス−３（２，２−ジクロロビニル）−２，２−ジメチル−１シクロプロパンカルボキシレート）、アレスリン（３−アリル−２−メチルシクロペンタ−２−エン−４−オン−１−イルクリサンテマート）などが挙げられるが、これらに限定するものではない。
【００２０】
消臭成分としては、有機酸、フラボノイド、ポリフェノール類などの植物抽出物などがあるがそのいずれでもよい。
【００２１】
なお、芳香成分は比較的分子量が大きく、科学的に安定な構造のものが多く、消臭剤と同時に用いても芳香を消すことはない。したがって芳香剤と消臭剤をそれぞれ収納したマイクロカプセルを同時に使用しても差し支えない。
【００２２】
また、本発明に用いられるマイクロカプセルとしては例えば内部に芳香剤、害虫忌避剤、消臭剤などが収納された１〜５０μｍのメラミンホルムアルデヒド樹脂よりなるものなどがある。その他にカプセル膜に無数の小さな孔が形成されていて、その孔から内部の芳香剤、消臭剤などが徐々に発散するようになっているものや、カプセル膜が外力によって破壊されて芳香成分、消臭成分などを発するものでも良く、またこれらに限定するものでもない。
【００２３】
また発泡層としては、ポリエチレン、ポリプロピレン、ポリスチレン、ポリウレタンなどが挙げられるが、これに限定するものではない。
【００２４】
また本発明の有機珪素化合物としては、ジメチルポリシロキサン、メチルフェニルポリ
シロキサン、ジフェニルポリシロキサンなどのシリコーン化合物、それらのシリコーン化合物をアルキッド変性、ポリエステル変性、アクリル変性、エポキシ変性した変性シリコーン化合物などが挙げられるが、これに限定するものではない。
【００２５】
また本発明における抗菌剤としては、無機系抗菌剤として、硝酸銀、硫酸銀、塩化銀など、銀、銅、亜鉛あるいは錫を担持したゼオライト、および銀、銅、亜鉛あるいは錫を担持したシリカゲルなどが挙げられるが、これらに限定するものではない。また、有機系抗菌剤としては、１０，１０’−オキシビスフェノキサアルシンなどフェニルエーテル誘導体、シクロフルアニドなどＮ‐ハロアルキルチオ系化合物、２−（４−チアゾリル）ベンズイミダゾール（以下ＴＢＺと略称する）等イミダゾール誘導体、２，３，５，６テトラクロル４−（メチルスルホリル）ピリジンなど第４級アンモニウム塩などが挙げられるが、これらに限定するものではない。
【００２６】
図１は本発明の一実施例における便座を示す模式図である。１は便座であり、この便座１は、図１の部分拡大断面図に示しているようにＦＲＰに代表されるバックアップ基材３とポリウレタンに代表される発泡層４と熱可塑性エラストマー層５と、熱可塑性エラストマー層中に分散されているジメチルポリシロキサンに代表される有機珪素化合物６と芳香剤などを収納したマイクロカプセル７と、ゼオライト銀に代表される無機系抗菌剤とＴＢＺに代表される有機系抗菌剤で構成されている。
【００２７】
（実施例１）
ハンドレイアップ成形法により、不飽和ポリエステル樹脂を用いたＦＲＰによりバックアップ基材を作成した。ジメチルポリシロキサンを０．５％、カプリル酸エチルを収納したマイクロカプセルを１％分散させた１．５ｍｍ厚のポリオレフィン系熱可塑性エラストマーと１０ｍｍ厚のポリウレタン発泡層とを用い、真空成形によりバックアップ基材と積層一体化し目的とする便座を得た。
【００２８】
なお表層としてジメチルポリシロキサン、マイクロカプセルを含まない１．５ｍｍ厚のポリオレフィン系熱可塑性エラストマーと１０ｍｍ厚のポリウレタン発泡層とを用い、真空成形によりバックアップ基材と積層一体化して得た便座を比較例とした。
【００２９】
（実施例２）
そしてハンドレイアップ成形法により、不飽和ポリエステル樹脂を用いたＦＲＰによりバックアップ基材を作成した。ジメチルポリシロキサンを０．５％、ペルメトリンを収納したマイクロカプセルを１％分散させた１．５ｍｍ厚のポリオレフィン系熱可塑性エラストマーと１０ｍｍ厚のポリウレタン発泡層とを用い、真空成形によりバックアップ基材と積層一体化し目的とする便座を得た。
【００３０】
（実施例３）
ハンドレイアップ成形法により、不飽和ポリエステル樹脂を用いたＦＲＰによりバックアップ基材を作成した。ジメチルポリシロキサンを０．５％、ペルメトリンを収納したマイクロカプセルを１％分散させた１．５ｍｍ厚のポリオレフィン系熱可塑性エラストマーを用い、真空成形によりバックアップ基材と積層一体化し目的とする便座を得た。
【００３１】
（実施例４）
ハンドレイアップ成形法により、不飽和ポリエステル樹脂を用いたＦＲＰによりバックアップ基材を作成した。ジメチルポリシロキサンを０．５％、カプリル酸エチルを収納したマイクロカプセルを１％、ゼオライト銀系抗菌剤を０．５％および有機系抗菌剤であるＴＢＺを０．５％分散させた１．５ｍｍ厚のポリオレフイン系熟可塑性エラストマーと１５ｍｍ厚のポリウレタン発泡層とを用い、真空成形によりバックアップ基材と積層一体化
し目的とする便座を得た。
【００３２】
各実施例で得た便座の撥水性を協和界面科学（株）製接触角測定装置（ＣＡ−Ｚ型）で測定した。その結果を（表１）に示す。
【００３３】
【表１】
0004517488.tif 000002
【００３４】
各実施例で得た便座の抗菌性能およびカビ抵抗性について試験を行った。抗菌性能については前記便座から５０×５０ｍｍの試料を切りだしそれぞれに菌液（黄色ブドウ球菌および大腸菌）１ｃｃを滴下し、３７℃で２４時間培養した。その後、滅菌済みリン酸緩衝液にて菌を洗い出した。この洗い出した液中の生菌数を、菌数測定用培地を用いて混釈平板法にて測定した。その結果を（表２）に示す。
【００３５】
【表２】
0004517488.tif 000003
【００３６】
カビ抵抗性試験については、寒天培地上においた各試料（５０×５０ｍｍ）にアスペルギルス・ニガー菌液を噴霧し、２５℃で７日間培養した。その結果を（表３）に示す。
【００３７】
【表３】
0004517488.tif 000004
【００３８】
次に各実施例で得た便座の芳香発散官能テストによる評価を行った。便座を通常の使用条件で使用し、その後官能テストを成人男女それぞれ５人で行った。その結果を（表４）に示す。
【００３９】
【表４】
0004517488.tif 000005
【００４０】
また、各実施例で得た便座のゴキブリに対する忌避性能を評価した。前記試料から２００×２００ｍｍの試料を切り出し、試料の上に餌と水を設置し、チャバネゴキブリ成虫３０匹のいる部屋にそれぞれ放置し、４８時間後、餌の元の重さに対する残存率を調べた。その結果を（表５）に示す。
【００４１】
【表５】
0004517488.tif 000006
【００４２】
（表１）から明らかなように、各実施例の便座は比較例の便座に比較し、著しい撥水性の向上が確認された。
【００４３】
（表２）から明らかなように、実施例４の便座は実施例１、２および比較例の便座に比較し、黄色ブドウ球菌および大腸菌に対する著しい抗菌効果を得ることができた。
【００４４】
（表３）から明らかなように、実施例４の便座は実施例ｌ、２および比較例の便座に比較し、良好な抗カビ効果を得ることができた。
【００４５】
（表４）から明らかなように比較例１および３の便座は比較例に比べて明らかに芳香を発散していることがわかる。
【００４６】
（表５）から明らかなように実施例２および３の便座は比較例に比べてゴキブリ忌避性能が著しく良好であった。このことから実施例２および３の便座からはペルメトリンが有効に発散され、ゴキブリ忌避に効果的に働いていることが明らかとなった。
【００４７】
【発明の効果】
以上のように、本発明によれば、便座の表面が軟質で、しかも表面の撥水性が高く、汚れ成分に対し低活性で防汚性が高くすることができる。また、それらの汚れ成分を餌とする細菌やカビの増殖も抑制される。また芳香剤、害虫忌避剤、消臭剤の少なくとも一種を収納したマイクロカプセルを含むことにより、より清潔で安全な便座を提供することができる。
【００４８】
また、軟質材からなる表面層は真空成形によりバックアップ基材と積層し一体化して便座を製造することにより、簡単に安価に便座を製造することができる。
【図面の簡単な説明】
【図１】  本発明の一実施例における便座の模式図
【符号の説明】
ｌ  便座
３  バックアップ基材
４  発泡層
５  熱可塑性エラストマー層
６  マイクロカプセル
７  有機珪素化合物
【図１】
0004517488.tif 000007